(57)【特許請求の範囲】
【請求項１】
レンズフードとレンズ鏡筒との着脱構造であって、
前記レンズ鏡筒は、
当該レンズ鏡筒の被写体側端部に設けられ、光軸方向に延びる円環状の鏡筒側接続部を備え、
前記鏡筒側接続部は、当該レンズ鏡筒の外径方向に向かう凸形状及び凹形状の一方を有する鏡筒側嵌合部を有し、
前記レンズフードは、
当該レンズフードのレンズ鏡筒接続側端部に設けられ、光軸方向に延びるフード側接続部を備え、
前記フード側接続部は当該レンズフードの内径方向に向かう前記凸形状及び凹形状の他方を有する第１フード側嵌合部を有し、
前記鏡筒側嵌合部及び前記第１フード側嵌合部は、前記レンズ鏡筒と前記レンズフードとを接続する際に嵌合するよう互いに対向して形成されており、
前記鏡筒側嵌合部及び前記第１フード側嵌合部の少なくとも何れかは、前記鏡筒側接続部又は前記フード側接続部の他の部位と周方向に間隔をあけて光軸方向に起立して設けられる第１基部の内径側に形成されている、
ことを特徴とするレンズフードとレンズ鏡筒との着脱構造。
【請求項２】
前記第１フード側嵌合部は、前記フード側接続部の前記他の部位と周方向に間隔をあけて光軸方向に起立して設けられる、請求項１に記載のレンズフードとレンズ鏡筒との着脱構造。
【請求項３】
前記第１フード側嵌合部と前記フード側接続部の前記他の部位とは同一円周上に配置されており、
前記第１フード側嵌合部と前記フード側接続部の前記他の部位との間にスリットが形成されていることにより、前記第１フード側嵌合部が前記フード側接続部の前記他の部位と周方向に間隔をあけて設けられる、請求項２に記載のレンズフードとレンズ鏡筒との着脱構造。
【請求項４】
前記レンズフードは、さらに、前記凸形状及び凹形状の他方を有する第２フード側嵌合部であって前記第１フード側嵌合部とは逆向きにレンズ鏡筒に接続される際に前記鏡筒側嵌合部と嵌合する第２フード側嵌合部を前記フード側接続部の被写体側に有し、
前記第２フード側嵌合部は光軸方向に起立して設けられる第２基部の内径側に形成されている、請求項１から３の何れか１項に記載のレンズフードとレンズ鏡筒との着脱構造。
【請求項５】
前記第２フード側嵌合部及び第２基部は、それぞれ前記第１フード側嵌合部及び前記第１基部と同形状である、請求項４に記載のレンズフードとレンズ鏡筒との着脱構造。
【請求項６】
レンズ鏡筒の被写体側端部に取り付けられるレンズフードにおいて、
前記レンズ鏡筒を当該レンズフードに接続するフード側接続部であって、当該レンズフードのレンズ鏡筒接続側の端部に設けられ光軸方向に起立したフード側接続部を備え、
前記フード側接続部は、当該レンズフードの内側に向かう凸形状及び凹形状の一方を有する第１フード側嵌合部を有し、
前記第１フード側嵌合部は、当該レンズフードの前記端部に前記フード側接続部の他の部位と周方向に間隔をあけて光軸方向に起立して設けられる第１基部の内径側に形成されている、
ことを特徴とするレンズフード。
【請求項７】
前記第１フード側嵌合部と前記フード側接続部の前記他の部位とは同一円周上に配置されており、
前記第１フード側嵌合部と前記フード側接続部の前記他の部位との間にスリットが形成されていることにより、前記第１フード側嵌合部が前記フード側接続部の前記他の部位と周方向に間隔をあけて設けられる、請求項６に記載のレンズフード。
【請求項８】
前記レンズフードは、さらに、前記凸形状及び凹形状の一方を有する第２フード側嵌合部であって前記第１フード側嵌合部とは逆向きにレンズ鏡筒を接続するための第２フード側嵌合部を前記フード側接続部の被写体側に有し、
前記第２フード側嵌合部は光軸方向に起立して設けられる第２基部の内径側に形成されている、請求項６または７に記載のレンズフード。
【請求項９】
前記第２フード側嵌合部及び第２基部は、それぞれ前記第１フード側嵌合部及び前記第１基部と同形状である、請求項８に記載のレンズフード。
【発明の詳細な説明】
【技術分野】
【０００１】
本発明は、レンズフードとレンズ鏡筒との着脱構造、及び、レンズフードに関する。
【背景技術】
【０００２】
従来より、不要な光が光学系に入り込まないように、レンズ鏡筒の先端にレンズフードを取り付けて撮影を行うことがある。このようなレンズフードには、特定の角度からの光を遮断するため、被写体側の縁の四方が被写体側に突出した、いわゆる花形のものがある。花形のレンズフードは、突出した部分が上下及び左右に位置するような所定の角度位置でレンズ鏡筒に取り付けなければ、不要な光を遮断することができず、また、必要な光を遮断してしまう。そこで、例えば、特許文献１に記載されているように、鏡筒の外周面に凸部及び凹部のうちの一方からなる鏡筒側嵌合部を設け、レンズフードの内周側に凸部及び凹部のうちの他方からなるフード側嵌合部を設けることが行われている。そして、鏡筒側嵌合部とフード側嵌合部を嵌合させると、凸部が凹部に入り込む際にクリック感が発生するため、使用者はレンズフードを所定の角度位置にレンズ鏡筒に取り付けたことを確認することができる。
【０００３】
ここで、鏡筒側嵌合部とフード側嵌合部を嵌合させるためには、凸部が凹部の側方の縁部を乗り越えるため、フードを撓ませる必要がある。特許文献１に記載されたレンズフードでは、このようなフードの撓みを促進するように、レンズフードのフード側嵌合部（クリック突起）の外周に変形許容スリットを形成している。
【先行技術文献】
【特許文献】
【０００４】
【特許文献１】特開２０１３−５４３１７号公報
【発明の概要】
【発明が解決しようとする課題】
【０００５】
しかしながら、特許文献１に記載されているようなレンズフードでは、強度上の問題から大きな変形許容スリットを設けることができない。このため、レンズフードのフード側嵌合部の近傍を十分に撓ませることができず、クリック感が安定して得られなかった。また、フード側嵌合部をフード本体と別部材で構成したレンズフードもあるが、別部材とするとコストアップしてしまう。
【０００６】
本発明は、上記の問題に鑑みなされたものであり、コストアップすることなく、クリック感を安定して得ることのできるレンズフードとレンズ鏡筒との着脱構造を提供することを目的としている。
【課題を解決するための手段】
【０００７】
本発明は、レンズフードとレンズ鏡筒との着脱構造であって、レンズ鏡筒は、レンズ鏡筒の被写体側端部に設けられ、光軸方向に延びる円環状の鏡筒側接続部を備え、鏡筒側接続部は、レンズ鏡筒の外径方向に向かう凸形状及び凹形状の一方を有する鏡筒側嵌合部を有し、レンズフードは、レンズフードのレンズ鏡筒接続側端部に設けられ、光軸方向に延びるフード側接続部を備え、フード側接続部は当該レンズフードの内径方向に向かう凸形状及び凹形状の他方を有する第１フード側嵌合部を有し、鏡筒側嵌合部及び第１フード側嵌合部は、レンズ鏡筒とレンズフードとを接続する際に嵌合するよう互いに対向して形成されており、鏡筒側嵌合部及び第１フード側嵌合部の少なくとも何れかは、鏡筒側接続部又はフード側接続部の他の部位と周方向に間隔をあけて光軸方向に起立して設けられる第１基部の内径側に形成されている、ことを特徴とする。
【０００８】
本発明は、レンズ鏡筒の被写体側端部に取り付けられるレンズフードにおいて、レンズ鏡筒をレンズフードに接続するフード側接続部であって、レンズフードのレンズ鏡筒接続側の端部に設けられ光軸方向に起立したフード側接続部を備え、フード側接続部は、レンズフードの内側に向かう凸形状及び凹形状の一方を有する第１フード側嵌合部を有し、第１フード側嵌合部は、レンズフードの端部にフード側接続部の他の部位と周方向に間隔をあけて光軸方向に起立して設けられる第１基部の内径側に形成されている、ことを特徴とする。
【発明の効果】
【０００９】
本発明によれば、コストアップすることなく、クリック感を安定して得ることのできるレンズフードとレンズ鏡筒との着脱構造が提供される。
【図面の簡単な説明】
【００１０】
【図１】本発明の一実施形態によるレンズフードとレンズ鏡筒との着脱構造に用いられるレンズフードの被写体側から見た斜視図である。
【図２】図１に示すレンズフードの結像側から見た斜視図である。
【図３】図１に示すレンズフードの正面図である。
【図４】図１に示すレンズフードの光軸方向断面図である。
【図５】図１に示すレンズフードの背面図である。
【図６】図１に示すレンズフードの正方向組み付け用の正方向フード側固定部を拡大して示す斜視図である。
【図７】図１に示すレンズフードの逆方向組み付け用の逆方向フード側固定部を拡大して示す斜視図である。
【図８】本発明の一実施形態によるレンズフードとレンズ鏡筒との着脱構造に用いられるレンズ鏡筒の接続部材を示す斜視図である。
【図９】レンズフードを鏡筒に正方向に取り付けた状態における正方向フード固定部の近傍を示す拡大図である。
【図１０】レンズフードを鏡筒に正方向に取り付けた状態における軸方向断面図である。
【図１１】レンズフードを鏡筒に逆方向に取り付けた状態における軸方向断面図である。
【発明を実施するための形態】
【００１１】
以下、本発明のレンズフードとレンズ鏡筒との着脱構造の一実施形態を図面を参照しながら説明する。
【００１２】
図１は、本発明の一実施形態によるレンズフードとレンズ鏡筒との着脱構造に用いられるレンズフードの被写体側から見た斜視図である。図２は、図１に示すレンズフードの結像側から見た斜視図である。図３は図１に示すレンズフードの正面図である。図４は図１に示すレンズフードの光軸方向断面図である。図５は図１に示すレンズフードの背面図である。図６は、図１に示すレンズフードの正方向組み付け用の正方向フード側固定部を拡大して示す斜視図である。図７は、図１に示すレンズフードの逆方向組み付け用の逆方向フード側固定部を拡大して示す斜視図である。
【００１３】
〔レンズフード〕
図１〜図５に示すように、レンズフード１は円筒状のレンズフード本体２と、フード本体の結像側に設けられ、光軸方向に延びる略円筒形状のフード側接続部３と、を備える。レンズフード本体２は、略円筒形状の外周部１２と、外周部１２の結像側端部近傍から内径側に向かって延びる円環状の円環部１４と、を備える。フード側接続部３を構成する接続部本体１６が円環部１４の内径側の縁から後方に延びている。外周部１２の被写体側端部の上下及び左右には、被写体側に延出する延出する延出部１２Ａが形成されている。
【００１４】
フード側接続部３は、接続部本体１６と、正方向組み付け用の正方向フード側固定部４及び正方向フード側係合部６と、逆方向組み付け用の逆方向フード側固定部８及び逆方向フード側係合部１０とを備える。正方向フード側固定部４及び正方向フード側係合部６は中心軸を挟んだ反対側に設けられており、また、逆方向組み付け用の逆方向フード側固定部８及び逆方向フード側係合部１０も中心軸を挟んだ反対側に位置に設けられている。また、正方向フード側固定部４と正方向フード側係合部６とは交互に並んでおり、逆方向フード側固定部８と逆方向フード側係合部１０とも交互に並んでいる。
【００１５】
図２に示すように、接続部本体１６は円環部１４から結像側に延びる円筒部１６Ａと、円筒部１６Ａの内周面に全周にわたって延びるように形成された円環状のフランジ部１６Ｂとを有する。
【００１６】
図６に示すように、正方向フード側固定部４は、フランジ部１６Ｂから結像側に向かって延びる基部４Ａ（第１基部）と、基部４Ａの先端から半径方向内側に向かって延びる先端部４Ｂにより構成される。先端部４Ｂの径方向内側の面には径方向外側に向かって凹む凹部４Ｃが形成されており、本実施形態では先端部４Ｂと凹部４Ｃとにより正方向フード側嵌合部（第１フード側嵌合部）が構成されている。
【００１７】
正方向フード側係合部６は、フランジ部１６Ｂと、円筒部１６Ａの結像側の縁から半径方向内側に向かって延びる係合部６Ａと、により構成される。係合部６Ａは、正方向フード側固定部４に隣接する位置から所定の角度範囲にわたって周方向に延びている。なお、円筒部１６Ａの結像側の縁に係合部６Ａが形成されていない部分を切り欠き部６Ｂという。正方向フード側固定部４の基部４Ａ及び先端部４Ｂは、円筒部１６Ａ及び係合部６Ａと同一円周上に配置されている。図２に示すように、正方向フード側固定部４の基部４Ａは円筒部１６Ａとは連続しておらず、正方向フード側固定部４の両側にはスリット２０が形成されている。なお、図２に示すように、係合部６Ａの一方の端部に当たる位置には、係合部６Ａの端部からフランジ部１６Ｂとの間に延びる正方向停止部６Ｃが形成されている。
【００１８】
図７に示すように、逆方向フード側固定部８は、フランジ部１６Ｂから光軸方向に被写体側に向かって延びる基部８Ａ（第２基部）と、基部８Ａの先端から半径方向内側に向かって延びる先端部８Ｂとにより構成される。先端部８Ｂの径方向内側の面には径方向外側に向かって凹む凹部８Ｃが形成されており、本実施形態では先端部８Ｂと凹部８Ｃとにより逆方向フード側嵌合部（第２フード側嵌合部）が構成されている。円環部１４の逆方向フード側固定部８に当たる部分は切り欠き１４Ａが形成されており、この切り欠き１４Ａ内に逆方向フード側固定部８は立設されている。なお、正方向フード側固定部４と、逆方向フード側固定部８とは同一形状である。
【００１９】
逆方向フード側係合部１０は、フランジ部１６Ｂと、円筒部１６Ａの被写体側の縁から半径方向内側に向かって延びる係合部１０Ａとにより構成される。係合部１０Ａは、逆方向フード側固定部８に隣接する位置から所定の角度範囲にわたって周方向に延びている。なお、円筒部１６Ａの被写体側の縁に係合部１０Ａが形成されていない部分を切り欠き部１０Ｂという。逆方向フード側固定部８の基部８Ａ及び先端部８Ｂは、円筒部１６Ａ及び係合部１０Ａと同一円周上に配置されている。図７に示すように、逆方向フード側固定部８の基部８Ａは円筒部１６Ａとは連続しておらず、逆方向フード側固定部８の両側にはスリット２２が形成されている。なお、図２に示すように、係合部１０Ａの一方の端部に当たる位置には、係合部１０Ａの端部からフランジ部１６Ｂとの間に延びる逆方向停止部１０Ｃが形成されている。本実施形態では、正方向フード側係合部６及び逆方向フード側係合部１０が特許請求の範囲におけるフード側接続部の他の部位に相当する。
【００２０】
〔レンズ鏡筒〕
図８は、本発明の一実施形態によるレンズフードとレンズ鏡筒との着脱構造に用いられるレンズ鏡筒の接続部材を示す斜視図である。
【００２１】
レンズ鏡筒は、レンズ鏡筒の被写体側端部に固定された接続部材３０を有する。図８に示すように接続部材３０は、レンズ鏡筒の被写体側に位置する筒体に接続される基部３０Ａと、基部３０Ａから被写体側に向けて延びる円筒状の接続部（鏡筒側接続部）３０Ｂとを備える。
【００２２】
接続部３０Ｂの外周面には、径方向外側に向かって突出し、円周方向に延びる一対の鏡筒側係合部３２が形成されている。一対の鏡筒側係合部３２は中心軸を挟んだ反対側に位置している。なお、以下、説明のため、隣接する鏡筒側係合部３２の間の部分を切り欠き部３２Ａという。
【００２３】
また、接続部３０Ｂの外周面における鏡筒側係合部３２の結像側には鏡筒側固定部３４が形成されている。鏡筒側固定部３４は、接続部３０Ｂから径方向外側に向かって突出する、鏡筒側嵌合部としての凸部３４Ａを含む。鏡筒側固定部３４は、鏡筒側係合部３２の一方の端部近傍に設けられている。
【００２４】
〔レンズフードの着脱〕
（正方向）
以下、レンズフードを鏡筒に正方向（レンズフードの延出部が被写体側に位置する方向）に取り付ける方法を説明する。図９は、レンズフードを鏡筒に正方向に取り付けた状態における正方向フード固定部の近傍を示す拡大図である。図１０は、レンズフードを鏡筒に正方向に取り付けた状態における軸方向断面図である。
【００２５】
まず、レンズフード１を、レンズ鏡筒に対して、正方向フード側固定部４及び正方向フード側係合部６が、レンズ鏡筒の接続部材３０の切り欠き部３２Ａに対向するように配置する。そして、レンズフード１を、レンズ鏡筒の接続部材３０の鏡筒側係合部３２がレンズフード１のフランジ部１６Ｂに当接するまで、鏡筒に向かって移動させる。これにより、レンズフード本体２の接続部本体１６の内側にレンズ鏡筒の接続部材３０が位置する。
【００２６】
次に、レンズ鏡筒に対してレンズフード１を回転させる。これにより、レンズ鏡筒の鏡筒側係合部３２が、レンズフード１の正方向フード側係合部６のフランジ部１６Ｂと係合部６Ａとの間に入り込む。これにより、レンズ鏡筒に対するレンズフード１の光軸方向の移動が規制される。
【００２７】
そして、レンズフード１の正方向フード側嵌合部としての凹部４Ｃに、鏡筒側嵌合部としての凸部３４Ａが入り込むまで、レンズフード１を回転させる。この際、鏡筒側嵌合部としての凸部３４Ａが、正方向フード側固定部４の先端部４Ｂに当接すると、正方向フード側固定部４の基部４Ａが径方向外側に向かって撓む。これにより、レンズフード１をレンズ鏡筒に対してスムーズに回転させることができる。そして、レンズフード１の正方向フード側嵌合部としての凹部４Ｃに、鏡筒側嵌合部としての凸部３４Ａが入り込むと略同時に撓んだ基部４Ａが元に戻る。これにより、正方向フード側嵌合部の凹部４Ｃと鏡筒側嵌合部の凸部３４Ａとが嵌合したことを示すクリック感が発生する。
【００２８】
このように、基部４Ａがフード側接続部３の他の部位と周方向に間隔をあけて設けられているため、レンズ鏡筒（本実施形態では、レンズ鏡筒に接続されたレンズ鏡筒の接続部材３０）にレンズフード１を取り付けるに際し、基部４Ａがフード側接続部３の他の部位と独立して径方向外側に向かって撓む。このため、上述の着脱構造を採用することにより、クリック感を安定して得ることができる。
【００２９】
そして、このように正方向フード側嵌合部の凹部４Ｃと鏡筒側嵌合部の凸部３４Ａとが嵌合した状態では、鏡筒側係合部３２の端部と、正方向停止部６Ｃとが当接する。これにより、レンズ鏡筒に対するレンズフード１の回転を規制することができる。
【００３０】
（逆方向）
次に、レンズフード１を鏡筒に逆方向（レンズフードの延出部が結像側に位置する方向）に取り付ける方法を説明する。図１１は、レンズフードを鏡筒に逆方向に取り付けた状態における軸方向断面図である。
【００３１】
まず、レンズフード１を、レンズ鏡筒に対して、逆方向フード側固定部８及び逆方向フード側係合部１０が、レンズ鏡筒の接続部材３０の切り欠き部３２Ａに対向するように配置する。そして、レンズフード１を、レンズ鏡筒の接続部材３０の鏡筒側係合部３２がレンズフード１のフランジ部１６Ｂに当接するまで、鏡筒に向かって移動させる。これにより、レンズフード本体２の接続部本体１６の内側にレンズ鏡筒の接続部材３０が位置する。
【００３２】
次に、レンズ鏡筒に対してレンズフード１を回転させる。これにより、レンズ鏡筒の鏡筒側係合部３２が、レンズフード１の逆方向フード側係合部１０のフランジ部１６Ｂと係合部１０Ａとの間に入り込む。これにより、レンズ鏡筒に対するレンズフード１の光軸方向の移動が規制される。
【００３３】
そして、レンズフード１の逆方向フード側嵌合部としての凹部８Ｃに、鏡筒側嵌合部としての凸部３４Ａが入り込むまで、レンズフード１を回転させる。この際、鏡筒側嵌合部としての凸部３４Ａが、逆方向フード側固定部８の先端部８Ｂに当接すると、逆方向フード側固定部８の基部８Ａが径方向外側に向かって撓む。これにより、レンズフード１をレンズ鏡筒に対してスムーズに回転させることができる。そして、レンズフード１の逆方向フード側嵌合部としての凹部８Ｃに、鏡筒側嵌合部としての凸部３４Ａが入り込むと略同時に撓んだ基部８Ａが元に戻る。これにより、逆方向フード側嵌合部の凹部８Ｃと鏡筒側嵌合部の凸部３４Ａとが嵌合したことを示すクリック感が発生するため、上述の着脱構造を採用することによりクリック感を安定して得ることができる。
【００３４】
このように、基部８Ａがフード側接続部３の他の部位と周方向に間隔をあけて設けられているため、レンズ鏡筒（本実施形態では、レンズ鏡筒に接続されたレンズ鏡筒の接続部材３０）にレンズフード１を取り付けるに際し、基部８Ａがフード側接続部３の他の部位と独立して径方向外側に向かって撓む。このため、上述の着脱構造を採用することにより、クリック感を安定して得ることができる。
【００３５】
そして、このように逆方向フード側嵌合部の凹部８Ｃと鏡筒側嵌合部の凸部３４Ａとが嵌合した状態では、鏡筒側係合部３２の端部と、逆方向停止部１０Ｃとが当接する。これにより、レンズ鏡筒に対するレンズフード１の回転を規制することができる。
【００３６】
以上説明したように、本実施形態によれば、フランジ部１６Ｂから結像側に向かって延びる基部４Ａの先端に接続された先端部４Ｂに正方向フード側嵌合部の凹部４Ｃが形成されている。このため、鏡筒側嵌合部としての凸部３４Ａが、正方向フード側固定部４の先端部４Ｂの径方向内側の面に当接した際に、基部４Ａが径方向外側に向かって撓むことができる。これにより、レンズフード１をレンズ鏡筒に対してスムーズに回転させることができる。また、正方向フード側固定部４の先端部４Ｂの径方向内側の面に当接した際に、基部４Ａが径方向外側に向かって撓むため、鏡筒側嵌合部としての凸部３４Ａが正方向フード側嵌合部としての凹部４Ｃに入り込む際にクリック感を安定して得ることができる。
【００３７】
また、本実施形態によれば、フランジ部１６Ｂから結像側に向かって延びる基部８Ａの先端に接続された先端部８Ｂに逆方向フード側嵌合部としての凹部８Ｃが形成されている。このため、鏡筒側嵌合部としての凸部３４Ａが、逆方向フード側固定部８の先端部８Ｂの径方向内側の面に当接した際に、基部８Ａが径方向外側に向かって撓むことができる。これにより、レンズフード１をレンズ鏡筒に対してスムーズに回転させることができる。また、逆方向フード側固定部８の先端部８Ｂの径方向内側の面に当接した際に、基部８Ａが径方向外側に向かって撓むため、鏡筒側嵌合部としての凸部３４Ａが逆方向フード側嵌合部としての凹部８Ｃに入り込む際にクリック感を安定して得ることができる。
【００３８】
また、本実施形態によれば、正方向フード側固定部４及び逆方向フード側固定部８において、光軸方向に延びる基部４Ａ、８Ａの先端に接続された先端部４Ｂ、８Ｂに凹部４Ｃ、８Ｃを形成している。このため、正方向フード側固定部４と逆方向フード側固定部８とを同一形状とすることができ、これにより、逆方向に取り付ける際と、正方向に取り付ける際との間で取付時の感触の差異が生じることがない。
【００３９】
また、本実施形態によれば、正方向フード側固定部４及び逆方向フード側固定部８をレンズフード本体２と一体に形成することができるため、部材数を抑えることができ、コストアップを抑えることができる。
【００４０】
なお、本実施形態では、レンズフード１にフード側嵌合部として凹部４Ｃ，８Ｃを設け、レンズ鏡筒の接続部材３０に鏡筒側嵌合部として凸部３４Ａを設けているが、これに限らず、レンズフードにフード側嵌合部として凸部を設け、レンズ鏡筒の接続部材に鏡筒側嵌合部として凹部を設けてもよい。
【００４１】
また、フード側係合部６、１０及び鏡筒側固定部３４の形状はレンズフードとレンズ鏡筒との光軸方向の移動を規制することができれば、如何なる形状であってもよい。
【００４２】
また、本実施形態では、レンズフード１にレンズフード本体２から延びる基部４Ａ，８Ａを設け、この基部４Ａ、８Ａの先端にフード側嵌合部としての凹部４Ｃ、８Ｃを設けたが、本発明はこれに限られない。例えば、鏡筒の接続部材３０に、スリットを介して鏡筒側係合部３２と周方向に間隔をあけて光軸方向に延びる基部を設け、この基部の先端に径方向外側に向かって延びる先端部を設け、この先端部に鏡筒側嵌合部を設け、レンズフード１にはレンズフード本体２の内周面に直接（光軸方向に延びる基部を介さずに）フード側嵌合部を設ける構成としてもよい。
【００４３】
本実施形態ではレンズ鏡筒が接続部材３０を備える構成を例に挙げて説明したが、接続部材３０に設けられている各部材がレンズ鏡筒に直接設けられていてもよい（つまり、レンズ鏡筒と接続部材３０とが一体となっていてもよい）し、特に限定されない。
【符号の説明】
【００４４】
１  レンズフード
２  レンズフード本体
３  フード側接続部
４  正方向フード側固定部
４Ａ  基部（第１基部）
４Ｂ  先端部（第１フード側嵌合部）
４Ｃ  凹部（凹形状、第１フード側嵌合部）
６  正方向フード側係合部
６Ａ  係合部
６Ｂ  切り欠き部
６Ｃ  正方向停止部
８  逆方向フード側固定部
８Ａ  基部（第２基部）
８Ｂ  先端部（第２フード側嵌合部）
８Ｃ  凹部（凹形状、第２フード側嵌合部）
１０  逆方向フード側係合部
１０Ａ  係合部
１０Ｂ  切り欠き部
１０Ｃ  逆方向停止部
１２  外周部
１２Ａ  延出部
１４  円環部
１４Ａ  切り欠き
１６  接続部本体
１６Ａ  円筒部
１６Ｂ  フランジ部
１８  隙間
２０  スリット
２２  スリット
３０  接続部材
３０Ａ  基部
３０Ｂ  接続部（鏡筒側接続部）
３２  鏡筒側係合部
３２Ａ  切り欠き部
３４  鏡筒側固定部
３４Ａ  凸部（凸形状）
【図１】
0006478874.tif 000002
【図２】
0006478874.tif 000003
【図３】
0006478874.tif 000004
【図４】
0006478874.tif 000005
【図５】
0006478874.tif 000006
【図６】
0006478874.tif 000007
【図７】
0006478874.tif 000008
【図８】
0006478874.tif 000009
【図９】
0006478874.tif 000010
【図１０】
0006478874.tif 000011
【図１１】
0006478874.tif 000012